(57)【要約】  【課題】  表示できる情報量を制限することなく異なる種類の情報を表示する。  【解決手段】  携帯電話機１は、入力部２と、表示制御装置３と、ＬＣＤ４と、データ記憶部８とを備え、表示制御装置３は、入力部２からの入力に応じて処理を振り分ける入力受付部５と、入力部２からの入力に従ってフォーカス位置を移動させる機能と表示可能領域におけるフォーカス位置を検出する機能を有するフォーカス位置制御部６と、入力受付部５の処理要求に従ってファイル名リストを取得し、指定されたファイル名称に収容されるサムネイル情報を読み出すデータ取得部７と、取得したサムネイル情報を展開してサムネイル画像を得る画像処理部９と、フォーカス位置制御部６が検出したフォーカス位置以外の表示可能領域に、取得したサムネイル画像を表示させる表示処理部１０とを有する。【選択図】  図１
2006011534.tif 000002
【特許請求の範囲】
【請求項１】
表示可能領域に表示された少なくとも１つの第１情報の中から指定された第１情報をフォーカスして表示させる表示制御装置であって、
フォーカス位置を検出するフォーカス位置検出手段と、
前記指定された第１情報に関連する第２情報を読み出す読出手段と、
検出したフォーカス位置以外の前記表示可能領域に、取得した第２情報を表示させる表示処理手段とを備える表示制御装置。
【請求項２】
請求項１記載の表示制御装置であって、
前記第２情報の読み出しを開始する時点を制御する読出制御手段を備える表示制御装置。
【請求項３】
請求項１又は２記載の表示制御装置であって、
前記表示処理手段は、検出したフォーカス位置が、前記表示可能領域を複数に分割した一の領域に含まれる場合、取得した第２情報を前記表示可能領域の他の領域に表示させる表示制御装置。
【請求項４】
請求項１又は２記載の表示制御装置であって、
前記表示処理手段は、検出したフォーカス位置と表示する第２情報が占有する領域とに基づいて決定した領域に、前記第２情報を表示させる表示制御装置。
【請求項５】
請求項１ないし４のいずれか一項記載の表示制御装置であって、
前記第１情報は、タイトル名である表示制御装置。
【請求項６】
請求項１ないし５のいずれか一項記載の表示制御装置であって、
前記第２情報は、画像情報であり、
前記画像情報を展開する画像処理手段を備える表示制御装置。
【請求項７】
請求項６記載の表示制御装置であって、
前記第１情報は、前記画像情報を収容するファイルの名称である表示制御装置。
【請求項８】
請求項６又は７記載の表示制御装置であって、
前記画像情報は、サムネイル情報である表示制御装置。
【請求項９】
請求項６ないし８のいずれか一項記載の表示制御装置であって、
フォーカスする位置を移動させるフォーカス位置制御手段を備える表示制御装置。
【請求項１０】
請求項９記載の表示制御装置であって、
前記画像処理手段が前記画像情報を展開処理中に前記フォーカス位置制御手段がフォーカス位置を移動させる場合、前記展開処理を中止する制限手段を備える表示制御装置。
【請求項１１】
請求項９記載の表示制御装置であって、
前記第２情報読出手段が前記第２情報読み出し処理中に前記フォーカス位置制御手段がフォーカス位置を移動させる場合、前記読み出し処理を中止する制限手段を備える表示制御装置。
【請求項１２】
表示可能領域に表示された少なくとも１つの第１情報の中から指定された第１情報をフォーカスして表示させる表示制御方法であって、
フォーカス位置を検出し、
前記指定された第１情報に関連する第２情報を読み出し、
検出したフォーカス位置以外の前記表示可能領域に、取得した第２情報を表示させる表示制御方法。
【請求項１３】
表示可能領域に表示された少なくとも１つの第１情報の中から指定された第１情報をフォーカスして表示させる表示制御プログラムであって、
コンピュータを、
フォーカス位置を検出するフォーカス位置検出手段、
前記指定された第１情報に関連する第２情報を読み出す読出手段、
検出したフォーカス位置以外の前記表示可能領域に、取得した第２情報を表示させる表示処理手段として機能させるための表示制御プログラム。
【発明の詳細な説明】
【技術分野】
【０００１】
本発明は、表示可能領域に情報を表示させる表示制御装置、表示制御方法及び表示制御プログラムに関する。
【背景技術】
【０００２】
従来より、大型画面を有するパソコンでは、ファイル名称やタイトルなどの一覧を表示する際、ファイル名称一覧とは別の領域にサムネイル画像を表示して各ファイルに収容される画像が分かるようにしている。表示画面が小さい携帯電話機では、ファイル名称一覧とサムネイル画像をそれぞれ別画面に表示しているが、ファイル名称を表示する領域を限定して同時にサムネイル画像を表示する携帯電話機もある（例えば、非特許文献１参照。）。
【０００３】
非特許文献１の携帯電話機では、図１０に示すように、表示画面の上方にファイルの名前の表示領域を設け、下方に画像の表示領域を設けているので、上方のファイルの名前にフォーカスを合わせると、下方にファイルに収容される画像を表示することができる。
【０００４】
【非特許文献１】取扱説明書ＦＯＭＡＰ９００ｉアプリケーション編Ｐ３２９
【発明の開示】
【発明が解決しようとする課題】
【０００５】
しかしながら、非特許文献１の携帯電話機においては、画面の一部の領域がサムネイル画像表示専用に割り当てられており、サムネイル画像専用領域にはファイル名称を表示できない為、画面上で一度に表示できるファイル名称数が少なくなり、表示できる情報量が制限されるという事情があった。
【０００６】
本発明は、上記事情に鑑みてなされたものであり、表示できる情報量を制限することなく異なる種類の情報を表示できる表示制御装置、表示制御方法及び表示制御プログラムを提供することを目的とする。
【課題を解決するための手段】
【０００７】
本発明の表示制御装置は、表示可能領域に表示された少なくとも１つの第１情報の中から指定された第１情報をフォーカスして表示させる表示制御装置であって、フォーカス位置を検出するフォーカス位置検出手段と、前記指定された第１情報に関連する第２情報を読み出す読出手段と、検出したフォーカス位置以外の前記表示可能領域に、取得した第２情報を表示させる表示処理手段とを備える。上記構成によれば、検出したフォーカス位置以外の前記表示可能領域に、取得した第２情報を表示させる表示処理手段を備えることにより、指定された第１情報の表示を妨げることなく第２情報を表示できる為、表示できる情報量を制限することなく異なる種類の情報を表示できる。
【０００８】
また、本発明の表示制御装置は、前記第２情報の読み出しを開始する時点を制御する読出制御手段を備える。上記構成によれば、第２情報の読み出しを開始する時点を制御することにより、フォーカス位置が移動するたびに読み出し処理を行うことがなくなり、処理負荷を軽減できる。
【０００９】
また、本発明の表示制御装置は、前記表示処理手段が、検出したフォーカス位置が、前記表示可能領域を複数に分割した一の領域に含まれる場合、取得した第２情報を前記表示可能領域の他の領域に表示させる。上記構成によれば、前記表示処理手段が、検出したフォーカス位置が、前記表示可能領域を複数に分割した一の領域に含まれる場合、取得した第２情報を前記表示可能領域の他の領域に表示させることにより、指定された第１情報と第２情報とを異なる領域に表示できる為、指定された第１情報及びこれに関連する第２情報を併せて表示可能領域に表示できる。
【００１０】
また、本発明の表示制御装置は、前記表示処理手段が、検出したフォーカス位置と表示する第２情報が占有する領域とに基づいて決定した領域に、前記第２情報を表示させる。上記構成によれば、前記表示処理手段が、検出したフォーカス位置と表示する第２情報の領域とに基づいて決定した領域に、前記第２情報を表示させることにより、指定された第１情報と第２情報とを異なる領域に表示できる為、第２情報が占有する領域に応じて第２情報を表示できる。
【００１１】
また、本発明の表示制御装置は、前記第１情報が、タイトル名であるものである。上記構成によれば、指定されたタイトル名を表示できる。
【００１２】
また、本発明の表示制御装置は、前記第２情報が、画像情報であり、前記画像情報を展開する画像処理手段を備える。上記構成によれば、展開した画像を表示できる。
【００１３】
また、本発明の表示制御装置は、前記第１情報が、前記画像情報を収容するファイルの名称であるものである。上記構成によれば、指定されたファイル名称を表示できる。
【００１４】
また、本発明の表示制御装置は、前記画像情報が、サムネイル情報である。上記構成によれば、指定されたファイル名称及びサムネイルを併せて表示可能領域に表示できる。
【００１５】
また、本発明の表示制御装置は、フォーカスする位置を移動させるフォーカス位置制御手段を備える。上記構成によれば、フォーカス位置を移動させることができる。
【００１６】
また、本発明の表示制御装置は、前記画像処理手段が前記画像情報を展開処理中に前記フォーカス位置制御手段がフォーカス位置を移動させる場合、前記展開処理を中止する制限手段を備える。上記構成によれば、前記画像処理手段が前記画像情報を展開処理中に前記フォーカス位置制御手段がフォーカス位置を移動させる場合、前記展開処理を中止することにより、フォーカス位置を高速に移動できる。
【００１７】
また、本発明の表示制御装置は、前記第２情報読出手段が前記第２情報読み出し処理中に前記フォーカス位置制御手段がフォーカス位置を移動させる場合、前記読み出し処理を中止する制限手段を備える。上記構成によれば、前記第２情報読出手段が前記第２情報読み出し処理中に前記フォーカス位置制御手段がフォーカス位置を移動させる場合、前記読み出し処理を中止することにより、フォーカス位置を高速に移動できる。
【００１８】
また、本発明の表示制御方法は、表示可能領域に表示された少なくとも１つの第１情報の中から指定された第１情報をフォーカスして表示させる表示制御方法であって、フォーカス位置を検出し、前記指定された第１情報に関連する第２情報を読み出し、検出したフォーカス位置以外の前記表示可能領域に、取得した第２情報を表示させる。
【００１９】
さらに、本発明の表示制御プログラムは、表示可能領域に表示された少なくとも１つの第１情報の中から指定された第１情報をフォーカスして表示させる表示制御プログラムであって、コンピュータを、フォーカス位置を検出するフォーカス位置検出手段、前記指定された第１情報に関連する第２情報を読み出す読出手段、検出したフォーカス位置以外の前記表示可能領域に、取得した第２情報を表示させる表示処理手段として機能させるためのものである。
【発明の効果】
【００２０】
本発明によれば、検出したフォーカス位置以外の前記表示可能領域に、取得した第２情報を表示させることにより、指定された第１情報の表示を妨げることなく第２情報を表示できる為、表示できる情報量を制限することなく異なる種類の情報を表示できる。
【発明を実施するための最良の形態】
【００２１】
図１は、本発明の一実施形態を説明するための携帯電話機の機能ブロック図である。図１において、携帯電話機１は、入力部２と、表示制御装置３と、ＬＣＤ(Liquid Crystal Display)４と、データ記憶部８とを備える。入力部２は、入力を行うためのものであり、メニューボタン、テンキーパッド、決定ボタン、上下左右ボタンなどを含む。表示制御装置３は、入力部２からの入力に従って、表示可能領域に表示されたサムネイル画像を収容するファイルの名称のリスト（少なくとも１つのファイル名称）の中から指定されたファイル名称をフォーカスして表示させるものである。ＬＣＤ４は、表示制御装置３の制御により表示可能領域に情報を表示するものである。データ記憶部８は、ファイル名リストデータ及び各ファイルのサムネイル情報を記憶するものである。携帯電話機１のユーザは、入力部２に対する入力によって、ファイル名リストの中からファイル名称を指定する。
【００２２】
表示制御装置３は、入力受付部５と、フォーカス位置制御部６と、データ取得部７と、画像処理部９と、表示処理部１０とを有する。入力受付部５は、入力部２からの入力を受け付け、受け付けた入力に応じて処理を振り分ける。フォーカス位置制御部６は、入力部２からの入力に従ってフォーカス位置を移動させる機能と表示可能領域におけるフォーカス位置を検出する機能を有する。データ取得部７は、入力受付部５の処理要求に従ってファイル名リストを取得し、指定されたファイル名称に収容されるサムネイル情報を読み出す。画像処理部９は、取得したサムネイル情報を展開してサムネイル画像を得る。表示処理部１０は、フォーカス位置制御部６が検出したフォーカス位置以外の表示可能領域に、取得したサムネイル画像を配置した、サムネイル画像付きリスト画面を表示させる。なお、表示制御装置３の処理は、コンピュータプログラムやその処理が内臓されたハード（制御チップ等）により実現される。
【００２３】
データ記憶部８は、フラッシュメモリ又はフラッシュメモリを内蔵したメモリカード等の外部メモリ装置であり、フォルダと、フォルダに格納されたファイル名リストデータと、各ファイルに収容されたサムネイル情報などを記憶する。サムネイル情報は、カメラで撮影された写真などの主画像データをＥＸＩＦフォーマットなどに変換して保存したもので、サムネイル情報だけでサムネイル画像に展開することができる。サムネイル情報は、通常の携帯電話機の画面に表示されているサムネイル画像のサイズとほぼ同等のサイズとする。なお、主画像を再生するための主画像データを合わせて保存してもよい。また、サムネイル情報は動画データの１コマを静止画に変換して保存したものでもよい。
【００２４】
データ取得部７は、指定されたファイル名称に関連するサムネイル情報を読み出すものであり、サムネイル情報の読み出しを開始する時点を制御する機能、読み出し処理中にユーザーが入力部２の上下左右ボタンを押下し、フォーカス位置制御部６がフォーカス位置を移動させる場合、読み出し処理を中止する機能を有する。
【００２５】
表示処理部１０は、フォーカス位置制御部６が検出したフォーカス位置が、前記表示可能領域を複数に分割した一の領域に含まれる場合、取得したファイル名称を表示可能領域の他の領域に表示させる機能、及び、検出したフォーカス位置と読み出したサムネイル画像情報の表示サイズとに基づいて決定した領域に、第２情報を表示させる機能を有するものである。また、表示処理部１０は、サムネイル画像の配置を決めた後、サムネイル画像付きファイル名リスト一覧画面を作成する。
【００２６】
以上のように構成された携帯電話機１について、図２から図９を用いてその動作を説明する。
【００２７】
図２は、本実施形態における携帯電話機の処理手順を示すフロー図であり、ファイル名称一覧と、指定したファイルのサムネイル画像とを併せて表示する処理の手順を示す。まず、図３に示すように、写真などの画像データの入ったファイルを収容するフォルダ（ピクチャフォルダ）にフォーカスを合わせ、入力部２の決定ボタンを押下する（Ｓ１０１；ＹＥＳ）。入力受付部５は、決定ボタンの入力を受け付け、押下された入力部２が画像データを収容するファイル名称一覧を表示するための決定ボタンなので（Ｓ１０２；ＹＥＳ）、データ取得部７に、指定したフォルダが収容するファイル名リストを取得するよう要求し、データ記憶部８からファイル名リストを取得する（Ｓ１０３）。データフォルダ内のデータ構成は図４に示すような階層構造になっている為、表示処理部１０は、取得したファイル名リスト（ピクチャフォルダの下位に属するファイル名のリスト）に基づいて、図５（ａ）（後述）に示すように、ＬＣＤ４にファイル名称一覧を表示する（Ｓ１０４）。そして、再びＳ１０１に戻って次のキー入力を待つ（Ｓ１０１；ＮＯ）。
【００２８】
図５は、本実施形態におけるファイル名称一覧とサムネイル画像の表示例を示す図である。図５（ａ）は、ファイル名称一覧のみの表示例を示す図、（ｂ）〜（ｄ）は、ＬＣＤ上でフォーカス位置を移動させたときの様子を示す図、（ｅ）は、ファイル名称一覧とサムネイル画像とを併せて表示する例を示す図である。
【００２９】
図５（ａ）に示すように、ファイル名称一覧３１には、指定した例えば「ピクチャ」のフォルダに収容された各ファイル名称３２が表示される。図５（ａ）〜（ｄ）のように、ＬＣＤ４の表示可能領域４１に表示されたファイル名称一覧３１上でフォーカス位置Ａを上下左右ボタンによって移動させると（Ｓ１０１；ＹＥＳ）、入力受付部５は、フォーカス位置Ａを移動させる上下左右ボタンの入力を受け付ける（Ｓ１０２：ＮＯ）。そして、入力が画像データを収容したファイル名称一覧３１上のフォーカス位置Ａの移動であるとき（Ｓ１０５；ＹＥＳ）、フォーカス位置制御部６は、フォーカス位置Ａを検出する（Ｓ１０６）。
【００３０】
次に、表示処理部１０は、すでに表示中のサムネイル画像３３があれば、それを消去する（Ｓ１０７）。フォーカス位置制御部６は、所定時間内に（Ｓ１０８；ＮＯ）、キー入力が無く（Ｓ１１３；ＮＯ）、フォーカス位置Ａが所定時間移動しないことを検出して（Ｓ１０８；ＹＥＳ）、フォーカス位置Ａの入力を確定する。フォーカス位置Ａの入力が確定すると、データ取得部８は、フォーカス位置Ａによって指定されたファイルのサムネイル情報を取得するようデータ記憶部７に要求し、データ記憶部８からサムネイル情報を読み出す（Ｓ１０９）。画像処理部９は、読み出したサムネイル情報をサムネイル画像に展開し（Ｓ１１０）、表示処理部１０においてサムネイル画像の表示領域を決定する（Ｓ１１１）。そして、画像処理部９は、図５（e）のようにファイル名称一覧３１上にサムネイル画像３３を重ねて表示する（Ｓ１１２）。
【００３１】
Ｓ１０８において、所定時間が経過するまでに（Ｓ１０８；ＮＯ）、キー入力があれば（Ｓ１１３；ＹＥＳ）、Ｓ１０２に戻り、入力受付部５はフォーカス位置Ａを移動させる入力を受け付ける（Ｓ１０２：ＮＯ）。入力が画像データを収容するファイル名称一覧３１上のフォーカス位置Ａの移動であるとき（Ｓ１０５；ＹＥＳ）、フォーカス位置制御部６は、フォーカス位置Ａを検出する（Ｓ１０６）。また、表示処理部１０は、表示中のサムネイル画像３３があれば、それを消去する（Ｓ１０７）。そして、所定時間が経過するまでに（Ｓ１０８；ＮＯ）、フォーカス位置制御部６が再びキー入力を検出すれば（Ｓ１１３；ＹＥＳ）、Ｓ１０２に戻ってＳ１０２〜Ｓ１１３までの処理を繰り返し、Ｓ１０８においてフォーカス位置Ａの移動が停止するのを待つ。
【００３２】
なお、Ｓ１０９でサムネイル情報を読み出し処理中、又はＳ１１０でサムネイル情報の展開処理中に、キー入力があれば、ハードウエアからの割り込みによってサムネイル情報の読み出し処理、又はサムネイル情報の展開処理を中止してＳ１０２に戻ってキー入力を受け付け、フォーカスを移動させてＳ１０５においてフォーカス位置Ａを検出する。
【００３３】
表示処理部１０で行われるＳ１１１のサムネイル画像の表示領域を決定する処理は、２つの実施の形態がある。
【００３４】
図６は、本発明の実施形態におけるサムネイル画像の表示領域を決定する第１の処理手順を示すフロー図であり、図７は、本発明の実施形態におけるサムネイル画像の表示領域を決定する第１の処理を説明する図である。図７の（ａ）は、ファイル名称一覧上におけるサムネイル画像の表示領域を示す図、（ｂ）〜（ｅ）は、フォーカス位置と表示されたサムネイル画像の関係を示す図である。
【００３５】
第１の処理では、検出したフォーカス位置が、ＬＣＤ７の画面（表示可能領域）を複数に分割した一の領域に含まれる場合、サムネイル画像の表示位置を表示可能領域の他の領域に決定する。図７（ａ）に示すように、サムネイル画像の表示領域を、ファイル名称一覧３１が表示される表示可能領域４１の上半分に設けた領域Ｂ又は下半分に設けた領域Ｃのいずれかに予め定める。表示処理部１０は、図７（ｂ）又は（ｃ）のように、Ｓ１０６でフォーカス位置制御部６が検出したフォーカス位置Ａがファイル名称一覧３１画面の上半分の位置にあれば（Ｓ２０１；ＹＥＳ）、ファイル名称一覧３１画面の下半分に設けた領域Ｃをサムネイル画像の表示領域とし（Ｓ２０２）、Ｓ２０１で図７（ｄ）又は（ｅ）のように、フォーカス位置Ａがファイル名称一覧３１画面の下半分の位置にあれば（Ｓ２０１；ＮＯ）、ファイル名称一覧３１画面の上半分に設けた領域Ｂをサムネイル画像の表示領域として（Ｓ２０３）、図２のＳ１１２に戻る。なお、表示可能領域の分割の仕方は上下２分割に限られない。縦方向又は横方向等、どのように分割してもよい。
【００３６】
図８は、本発明の実施形態におけるサムネイル画像の表示領域を決定する第２の処理手順を示すフロー図である。図９は、本発明の実施形態におけるサムネイル画像の表示領域を決定する第２の処理を説明する図であり、（ａ）は、ファイル名称一覧上におけるサムネイル画像の表示領域を示す図、（ｂ）〜（ｅ）は、フォーカス位置と表示されたサムネイル画像の関係を示す図である。
【００３７】
第２の処理では、検出したフォーカス位置と読み出したサムネイル画像の表示サイズとに基づいて、サムネイル画像の表示位置を決定する。図９（ａ）に示すように、サムネイル画像の表示領域を、表示可能領域４１内のファイル名称一覧３１の右側に設けた領域Ｄ内のいずれかの位置とする。表示処理部１０において、Ｓ１０６のフォーカス位置制御部６が検出したフォーカス位置Ａからファイル名称一覧３１画面における座標を計算し（Ｓ３０１）、フォーカス位置Ａの上の行がサムネイル画像の終了位置になるようにサムネイル画像のサイズからサムネイル画像の表示開始位置を算定する（Ｓ３０２）。そして、図９（ｃ）〜（ｅ）に示すように、算定したサムネイル画像の表示開始位置がファイル名称一覧３１の領域Ｄ内に納まれば（Ｓ３０３；ＹＥＳ）、Ｓ３０２で算定したフォーカス位置Ａの上の行を終了位置とする領域をサムネイル画像の表示領域とする（Ｓ３０４）。
【００３８】
Ｓ３０３において、図９（ｂ）に示すようにサムネイル画像の表示開始位置がファイル名称一覧３１の領域Ｄ内に納まらなければ（Ｓ３０３；ＮＯ）、フォーカス位置Ａの下の行をサムネイル画像の表示開始位置としてサムネイル画像の表示領域を決定して（Ｓ３０５）、図２のＳ１１２に戻る。
【００３９】
上記した実施の形態によれば、検出したフォーカス位置以外の表示可能領域に、取得したサムネイル画像を表示させることにより、指定されたファイル名称の表示を妨げることなくファイル名を表示できる為、指定されたファイル名称及びこれに収容されるサムネイル画像を併せて表示可能領域に表示できる。また、ファイル名称一覧３１の上にサムネイル画像３３を重ねて表示するため、表示画面が小さい携帯電話機においても、多くのファイル名称３２を表示しながら指定したファイルのサムネイル画像３３を表示することができる。
【００４０】
また、データ記憶部８に主画像情報よりも小さいサムネイル情報が収容されているので、画像情報の読み込み時間や画像展開処理時間が短いため、サムネイル画像の表示が速い。また、フォーカス位置制御部６でフォーカス位置Ａが停止し、フォーカス位置Ａによる入力が確定するまで所定時間のタイムラグを設けているので、キーを連続操作した場合、キーの入力に従ってフォーカスを高速移動させることができる。また、サムネイル情報の読み出しや展開処理中にキー入力を受け付けるので、読み出しや展開処理中にフォーカスを移動することができる。また、フォーカス位置が確定するまでにタイムラグを設けているため、サムネイル画像を読み込み、展開する回数が減少する。そのため消費電力を削減することができる。
【００４１】
また、以上、表示制御装置を携帯電話機に搭載した例を説明したが、表示制御装置を携帯端末、ＰＤＡ（Personal Digital Assistant）、ナビゲーション、又はゲーム機などの機器に搭載してもよい。
【産業上の利用可能性】
【００４２】
本発明は、検出したフォーカス位置以外の前記表示可能領域に、取得した第２情報を表示させることにより、指定された第１情報の表示を妨げることなく第２情報を表示できる為、表示できる情報量を制限することなく異なる種類の情報を表示できる効果を有し、表示可能領域に情報を表示させる表示制御装置、表示制御方法及び表示制御プログラム等に有用である。
【図面の簡単な説明】
【００４３】
【図１】本発明の一実施形態を説明するための携帯電話機の機能ブロック図
【図２】本実施形態における携帯電話機の処理手順を示すフロー図
【図３】本実施形態におけるデータフォルダに収容されるフォルダの表示例を示す図
【図４】本実施形態におけるデータフォルダ内のデータ構成例を示す図
【図５】本実施形態におけるファイル名称一覧とサムネイル画像の表示例を示す図
【図６】本発明の実施形態におけるサムネイル画像の表示領域を決定する第１の処理手順を示すフロー図
【図７】本発明の実施形態におけるサムネイル画像の表示領域を決定する第１の処理を説明する図
【図８】本発明の実施形態におけるサムネイル画像の表示領域を決定する第２の処理手順を示すフロー図
【図９】本発明の実施形態におけるサムネイル画像の表示領域を決定する第２の処理を説明する図
【図１０】従来の携帯電話機の表示画面例を示す図
【符号の説明】
【００４４】
１  携帯電話機
２  入力部
３  表示制御装置
４  ＬＣＤ
５  入力受付部
６  フォーカス位置制御部
７  データ取得部
８  データ記憶部
９  画像処理部
１０  表示処理部
３１  ファイル名称一覧
３２  ファイル名称
３３  サムネイル画像
４１  表示可能領域
Ａ  フォーカス位置
Ｂ、Ｃ、Ｄ  領域
【図１】
2006011534.tif 000003
【図２】
2006011534.tif 000004
【図３】
2006011534.tif 000005
【図４】
2006011534.tif 000006
【図５】
2006011534.tif 000007
【図６】
2006011534.tif 000008
【図７】
2006011534.tif 000009
【図８】
2006011534.tif 000010
【図９】
2006011534.tif 000011
【図１０】
2006011534.tif 000012